(57)【要約】  装置（１２）の制御のための制御デバイス（１０）が提供される。このデバイスは、１方向プロトコル又は２方向プロトコルを用いて装置と通信をなすように構成される。この装置は、装置からの応答を起動するためのメッセージを通信し、所定時間間隔内での応答の受信により２方向プロトコルを用いて装置との通信を継続し（３１，３２；６０８，６１０）、その時間間隔内での応答の不存在において１方向プロトコルを用いて装置との通信を継続する（３３，３４，３５；６０２，６０４）ように構成される。
2008501280.tif 000002
【特許請求の範囲】
【請求項１】
装置の制御のための制御デバイスであって、
・当該デバイスは、１方向プロトコル又は２方向プロトコルを用いて前記装置と通信をなすように構成され、
・当該デバイスは、前記装置からの応答を起動するためのメッセージを通信し、所定時間間隔内での前記応答の受信により前記２方向プロトコルを用いて前記装置との通信を継続するか又は前記時間間隔内での前記応答の不存在において前記１方向プロトコルを用いて前記装置との通信を継続するように構成される、
制御デバイス。
【請求項２】
請求項１に記載のデバイスであって、
・当該デバイスは、ユーザインターフェースを有し、
・当該デバイスは、前記ユーザインターフェースによる入力により当該入力がない他の時間間隔が経過した後に前記通信を始動する、
デバイス。
【請求項３】
請求項２に記載のデバイスであって、前記２方向プロトコルに準じたメッセージで前記通信を始動するデバイス。
【請求項４】
請求項２に記載のデバイスであって、前記１方向プロトコルに準じた他のメッセージに付帯される前記２方向プロトコルに準じたメッセージで前記通信を始動するデバイス。
【請求項５】
請求項４に記載のデバイスであって、前記ユーザインターフェースは、前記ユーザインターフェースの作動により入力を登録し、前記メッセージは、当該作動の終了により前記他のメッセージに付帯される、デバイス。
【請求項６】
請求項１に記載のデバイスであって、無線の態様で前記通信を実施するための遠隔制御デバイスを有するデバイス。
【請求項７】
請求項６に記載のデバイスであって、民生電子機器の制御のために構成されるデバイス。
【請求項８】
装置の制御のためにプログラマブル制御デバイスにインストールされるための制御ソフトウェアであって、当該ソフトウェアは、
・前記デバイスを、１方向プロトコル又は２方向プロトコルを用いて前記装置と通信をなすように構成し、
・前記デバイスを、前記装置からの応答を起動するメッセージを通信し、所定時間間隔内での前記応答の受信により前記２方向プロトコルを用いて前記装置との通信を継続するか又は前記時間間隔内での前記応答の不存在において前記１方向プロトコルを用いて前記装置との通信を継続するように構成する、
ことができるように動作可能である、
ソフトウェア。
【発明の詳細な説明】
【技術分野】
【０００１】
本発明は、機器例えば民生（ＣＥ）電子機器を、好ましくは例えば赤外線（ＩＲ）又はラジオ周波数（ＲＦ）を用いた無線通信により制御するための制御装置に関する。本発明はさらに、このような制御装置にインストールするための制御ソフトウェアに関する。
【背景技術】
【０００２】
遠隔制御デバイスによる装置の制御には、当該遠隔制御デバイス及び当該装置それぞれにより制御メッセージ信号の発生及び解読を制御する承認された制御プロトコルが必要である。このプロトコルは、コマンドと信号特性との関係を規定する。原則として、この関係は、遠隔制御デバイスと装置が同じ関係に従う限り、任意に選ばれることが可能である。したがって、沢山の異なるプロトコルが存在する。これらは、２方向プロトコルを含み、かかるプロトコルにおいて、装置は、遠隔制御デバイスからコマンドを受信することに応答して遠隔制御デバイスに応答を返す。２方向プロトコルは、例えば、日本国特許出願公開２０００−１９６６５４から知られている。しかしながら、遠隔制御デバイスのためのプロトコルは、通常は１方向プロトコルであり、当該プロトコルの下では、遠隔制御デバイスから装置にしかメッセージが伝送されず、他の方向には伝送されない。
【０００３】
これら装置が異なる制御プロトコルを用いているとしても、同じ遠隔制御デバイスが異なる装置の制御に適したものであることが望まれる。したがって、マルチプロトコル遠隔制御デバイスが開発されている。その最も簡単な例は、種々のプロトコル（例えば、テレビジョンセット用や種々の製造業者のビデオレコーダ用）に準じたコマンドのための種々の機能ボタンを具備する遠隔制御デバイスである。しかしながら、真のマルチプロトコルの遠隔制御デバイスにおいては、その遠隔制御デバイスにおける同じ機能ボタンの作動に応答して伝送されるコマンドメッセージは、当該遠隔制御デバイスの状態に依存する。この状態は、選択されるプロトコルを決める。このような真のマルチプロトコル遠隔制御デバイスの一例は、異なる状態間、したがって異なるプロトコル間で切り換えるための１つ以上の制御ボタンを有する。通常は、ユーザは、関連したプロトコルに応じた制御メッセージとなる状態に当該遠隔制御デバイスを構成するため、装置をインストールするときに状態選択用の制御ボタンを用いる。
【０００４】
理論的には、こうしたタイプのマルチプロトコル遠隔制御デバイスは、当該装置が異なるプロトコルを必要とする場合、異なる装置を交替で制御するために用いることも可能である。しかし、これは、非能率的である。何故なら、異なる装置を制御しなければならなくなる度にユーザが制御ボタンを選択し作動させて状態を切り換える必要があるからである。
【発明の開示】
【発明が解決しようとする課題】
【０００５】
本発明の目的は特に、異なるプロトコル間で切り換えることを容易にする遠隔制御デバイスを規定することである。
【課題を解決するための手段】
【０００６】
このため、本発明は、制御デバイス、例えば民生電子（ＣＥ）機器などの装置の制御のために無線通信のための遠隔制御デバイスを提供する。このデバイスは、１方向プロトコル又は２方向プロトコルを用いた装置と通信をなすように構成される。このデバイスは、当該装置からの応答を起動するためのメッセージを通信し、所定の時間間隔内で当該応答を受けたときに２方向プロトコルを用いて当該装置と通信を継続するように、又は当該時間間隔内で当該応答がない場合には１方向プロトコルを用いて当該装置と通信を継続するように構成される。
【０００７】
好ましくは、当該デバイスは、ユーザインターフェースを有し、入力のないさらなる他の時間間隔が経過した後にそのユーザインターフェースによる入力で通信を始動する。本発明の実施例において、当該デバイスは、２方向プロトコルに準じたメッセージで通信を始動する。或いは、当該デバイスは、１方向プロトコルに準じた他のメッセージに付帯する２方向プロトコルによるメッセージで通信を始動する。ユーザインターフェースは、ユーザインターフェースの作動において入力を登録し、当該メッセージは、当該作動の終了で他のメッセージに付帯させられる。
【０００８】
本発明における制御デバイスは、その制御可能とされる装置がユーザの介在を伴うことなく２方向通信を行うことができるかどうかを自動的に検出する。例えば、リセットで（例えばバッテリ挿入において）、制御デバイスは、１方向通信モードでアイドル状態に入る。そして、キーの押圧で、制御デバイスは、１方向通信モードにおける送信状態に入る。この状態では、押圧されたキーに対応する制御メッセージは、恐らくは独自の１方向プロトコルを用いた装置に送信される。キーの開放により、装置が２方向通信が可能かどうかを調査する調査メッセージが送信される。制御デバイスは、装置からの応答を待つ２方向通信モードの検出状態に入る。例えば当該装置が古い（従来の）装置であるが故にその装置が２方向通信ができない場合、当該装置は、この調査メッセージに応答することができない。第１のタイムアウト間隔の経過により、制御デバイスは、とりあえずは（従来の）１方向通信だけを用いるために、１方向通信モードのアイドル状態に戻る。しかし、装置が２方向通信の可能なものである場は、第１のタイムアウト間隔内で調査メッセージに対する応答を返す。制御デバイスが第１のタイムアウト間隔内で当該応答を検出した場合、当該デバイスは、当該調査メッセージに応答して装置から受信した情報に基づき２方向通信のために自ら対応の構成を採る。例えば、制御デバイスは、表示モニタ（例えばタッチスクリーン）を有し、装置の制御のための適切なグラフィカルユーザインターフェース（ＧＵＩ）をセットアップする。このセットアップ段階の後、デバイスは、２方向通信モードのアイドル状態に入る。そして次のキー押圧において、制御デバイスは、２方向モードの通信状態に入り、とりあえず２方向通信プロトコルを用いる。キーが押圧されないで第２のタイムアウト間隔が経過した場合、デバイスは、上述した１方向モードのアイドル状態に戻る。
【０００９】
本発明における遠隔制御デバイスの実施例を検討すると、当該デバイスは、機能ボタンの作動により制御メッセージをその２方向プロトコルに準じて送信させる少なくとも１つの２方向モードと、同じ機能ボタンの作動により制御メッセージが１方向プロトコルに準じて送信させる第２の１方向モードとを有する。当該第２の１方向モードでは、２方向プロトコルに準じた付加的なメッセージが、遠隔制御デバイスの制御ボタンの作動に応答して送られる。通常、制御メッセージ及び付加的メッセージは、同じ無線媒体、好ましくはＩＲトランスミッタ又はＲＦトランスミッタのような遠隔制御デバイスの同じ送信器を共有した媒体により送られる。
【００１０】
タイムアウト期間は、装置が２方向プロトコルに準じて制御メッセージ及び付加的メッセージに応答するかどうかを検出するために用いられる。２方向モードにおいて応答が検出されなかった場合、遠隔制御デバイスは１方向モードに切り換わる。２方向モードにおいて応答が検出された場合、遠隔制御デバイスは、２方向モードに切り換わる（又は２方向モード状態を持続する）。好ましくは、１方向モードとは対照的に、１方向プロトコルに準じたメッセージは、制御ボタンの作動に応答して２方向モードにおいて送られない。これにより、電力を節約し、２方向プロトコルに準じた制御メッセージを送るための時間が長く確保され、１方向プロトコルに準じたメッセージが２方向プロトコルに準じたメッセージよりも時間がかかる場合に有益となる。
【００１１】
一実施例において、１方向プロトコルによる制御メッセージは、遠隔制御デバイスのボタンを押して起動がかけられ、２方向プロトコルに準じた対応の付加的メッセージは、当該ボタンの開放により起動がかけられる。これにより、１方向プロトコルに準じた繰り返しのコマンドメッセージの最大のものを送ることができるとともに、当該ボタンは押圧されたままで、コマンドが受信されることになる可能性を高めることになる。
【００１２】
１方向モードにおいて送られる付加的メッセージは、好ましくは、１方向プロトコルに準じたコマンドメッセージの機能的に等価な（制御される装置により実行されたときに等価な作用を呈する）コマンドメッセージとするのがよい。したがって、コマンドを実行するのに他のメッセージは必要がない。但し、その代わり、特に、選択されたコマンドが２方向プロトコルにも準じている被制御装置からの応答メッセージを導かない場合、当該付加的メッセージは、当該選択されたコマンドに特有のものではない調査メッセージとなりうる。この被制御装置は、調査メッセージが応答を導き出すのに確実なものとされるように構成される。
【００１３】
本発明はまた、装置の制御のためのプログラマブル制御装置にインストールされるための制御ソフトウェアに関する。このソフトウェアは、１方向プロトコル又は２方向プロトコルを用いた装置との通信をなすためにデバイスを構成するように動作可能である。当該ソフトウェアは、装置からの応答を起動するためのメッセージを通信し、所定時間間隔内で当該応答の受信により２方向プロトコルを用いて装置との通信を継続し、又は当該時間間隔内での応答がない場合に１方向プロトコルを用いて装置との通信を継続するように、デバイスを構成する。この実施例は、プログラマブルのユニバーサル遠隔制御デバイスに特に有用である。本発明は、遠隔制御デバイスを、２方向可能型機器の他、１方向制御しか可能でない従来の機器と共に動作させることを可能にする。
【００１４】
以下、本発明を、例示により添付図面を参照して詳しく説明する。
【発明を実施するための最良の形態】
【００１５】
図１は、システム、例えば民生電子（ＣＥ）機器を備えた自宅に基礎を置くシステムの図である。このシステムは、第１及び第２の制御可能型装置１２及び１４、並びに遠隔制御デバイス１０を有する。デバイス１０は、複数の制御ボタン１００と送信／受信部１０２（１つだけが図示されている）を備えている。代表的なものとしては、送信／受信部１０２は、赤外線源（例えばＬＥＤ）及び赤外線レシーバを有する。他のタイプの送信／受信手段も可能であり、例えば、超音波若しくはＲＦ又はこれらの組み合わせ又はこれらとＩＲとの組み合わせによるものとすることができる。装置１２及び１４は、各々が対応のレシーバを有しており、可能性のあるものとしては、装置１２及び１４の関連の１つが２方向（動作）可能型である場合のトランスミッタも有する。代表的なものとして、装置１２及び装置１４は、異なる部屋に、又はデバイス１０が一度に装置１２及び１４の片方にメッセージを送るために用いることができるほどに互いに離れた距離に位置づけられる。装置１２及び１４は、異なるプロトコル、例えば装置１２及び１４の一方が他のメッセージを戻すように送ることにより受信されるメッセージに応答する２方向プロトコルと、装置１２及び１４の他方が単にメッセージを受信し、制御デバイス１０に応答メッセージを返すようには構成されない１方向プロトコルとに準じた制御メッセージを必要とする。
【００１６】
図２は、ボタン１００と、ボタンインターフェース回路１０４と、制御回路１０６と、送信回路１０８と、受信回路１０９とを有する遠隔制御デバイス１０の図である。制御回路１０６は、ボタンインターフェース回路１０４を介してボタン１００と、そして送信回路１０８と受信回路１０９とに結合されている。
【００１７】
実際の使用では、回路１０４は、ボタン１００が作動されたかどうかそして作動された場合にはボタン１００のどれが作動されたかを検知する。ボタン１００のうちの特定の１つの作動に応答して、回路１０６は、その作動された特定のボタンに関連したコマンドメッセージを表す論理信号を発生する。この論理信号は、送信回路１０８に供給され、赤外線パルスパターン（又は他の信号）を例えば装置１２に送信するように送信部１０２が制御される。
【００１８】
デバイス１０は、少なくとも２つのプロトコル（１方向プロトコル及び２方向プロトコル）に準じて装置１２にコマンドメッセージを送るように構成される。こうしたタイプのプロトコル自体は知られている。通常、プロトコルは、論理ビットのそれぞれの列に関してのコマンドと、これらビットを表すパルスパターンであって例えば当該パルスの持続期間に関するものとを規定する。異なるプロトコルは、異なる列のビット、異なるパルスパターン、異なるパルス持続期間などを用いることができる。
【００１９】
デバイス１０によりサポートされる第１のプロトコルは、１方向プロトコルであり、デバイス１０と制御可能型装置との間の通信は、デバイス１０から当該装置へのコマンドメッセージの送信を含むに過ぎない。そして装置は、メッセージを制御デバイス１０へ返すことにより応答しない。
【００２０】
デバイス１０によりサポートされる第２のプロトコルは、２方向プロトコルであり、デバイス１０から制御可能型装置へのコマンドの通信は、デバイス１０と当該装置との間のメッセージの双方向の交換を含む。例えば、デバイス１０からのコマンドメッセージの後に、装置からの確認及び／又は例えばユーザへの視覚的フィードバックとしてデバイス１０のＬＣＤにおける情報の表示を制御するためのメッセージが続く。
【００２１】
図３は、どのようにして制御回路１０６が異なるプロトコル間で切り換わるかを示す状態チャートである。この状態チャートは、２方向プロトコル及び１方向プロトコルに対応するデバイス１０の動作モードの色々な状態を示している。状態３１及び３２は、２方向プロトコルの下での動作のモードを示している。状態３３，３４及び３５は、１方向プロトコルの下での動作のモードを示している。デバイス１０がリセットされると（例えばバッテリの挿入時、またはリセットボタンの作動に応答して、或いは電源投入時）、回路１０６は、状態３１に入る。状態３１において、回路１０６は、制御ボタン１００の作動を待つ。ボタン１００が押圧されると、回路１０６は状態３２に遷移し、ここでその押圧された特定のボタンに関連しかつ２方向プロトコルに準じた制御メッセージを発生する。回路１０６は、送信回路１０８に２方向プロトコルに準じた制御メッセージを送信させ、受信回路１０９が装置１２からの応答メッセージの受信を示すかどうか待機する。所定期間のタイムアウト間隔内での応答メッセージの受信により、制御回路１０６は、状態３１に戻る。当該タイムアウト間隔内で応答信号を示す受信がない場合、制御回路１０６は、状態３３に遷移する。
【００２２】
図５は、他の動作を示している。時間は左から右へと進む。第１のトレース５０は、ボタン１００の押圧を示している。低いレベルは、当該ボタンが押されていないことを示し、高いレベルはボタンが押されたことを示している。第２のトレースは、パルス５２を示しており、送信回路１０８が信号を送っていることを示す。パルス５２は、ボタンの押圧に応答して送られる２方向プロトコルに準じた、押されたボタン１００に関連した制御メッセージを示す。第２のパルス５４は、応答メッセージの受信を示す。このような応答メッセージが制御メッセージ５２の送信後にタイムアウト間隔５８内で受信されないと、制御回路１０６は、状態３３に遷移する。
【００２３】
状態３３において、制御回路１０６は、次のボタン１００が押されるのを待つ。ボタン１００が押されているときには、制御回路１０６は、状態３４に遷移し、そこで制御回路１０６は、押圧されたボタンに関連した制御メッセージを発生する。状態３４ではまた、回路１０６は、送信回路１０８に、１方向プロトコルに準じて符号化されかつ送信された発生された制御メッセージを送信させる。オプションとして、制御回路１０６は、送信回路１０８に、ボタンが押されたままである間は、制御メッセージの送信を繰り返させる。
【００２４】
ボタン１００が開放されるとき、制御回路１０６は状態３５に遷移し、ここで、制御回路１０６が先ず、付加的メッセージを発生し、送信回路１０８に、複合制御メッセージを送信させる。この付加的メッセージは、２方向プロトコルに準じて符号化され送信される。一実施例において、当該付加的メッセージは、作動されたボタン１００に特有のものでない調査メッセージとされる。他の実施例においては、当該付加的メッセージがボタン１００に基づいて選択されるので、１方向プロトコルの制御メッセージと機能的に等価なものである。付加的メッセージの送信の後は、制御回路１０６は、所定長のタイムアウト期間待機し、受信回路１０９が当該付加的メッセージに対する応答の、装置１２からの受信を示しているかどうかを監視する。受信が示されない場合は、制御回路は、状態３３に戻る。受信が示された場合は、制御回路は状態３１に戻る。
【００２５】
図４は、これらサブ状態において送信される信号を示している。第１のトレース４０は、ボタン１００の押圧を示している。低いレベルは、当該ボタンが押されていないことを示し、高いレベルはボタンが押されていることを示している。第２のトレースは、受信回路１０８により送信される信号を示している。第１のパルス４２は、ボタンが押されたままの状態の間に送られる１方向プロトコルに準じた押圧ボタン１００に基づいた繰り返される制御メッセージを示している。第２のパルス４４は、ボタン１００が開放された場合の２方向プロトコルに準じた付加的メッセージの送信を示している。この付加的メッセージの送信後の間隔４８において、制御回路は装置１２からの応答の受信を待つ。この図は、このような応答メッセージ４６が受信された場合を示している。時間間隔４８においてこのような応答メッセージがないときは、制御回路１０６は状態３３に戻る。制御回路１０６は、応答メッセージ４６が受信されると状態３４に入る。
【００２６】
したがってデバイス１０は、２つのモードを効果的にサポートすることが分かる。状態３１及び３２により表される第１のモードでは、ボタン１００の各作動により２方向制御メッセージの送信に至る。状態３３，３４及び３５により表される第２のモードでは、ボタン１００の作動により、１つ以上の１方向制御メッセージ及び付加的な２方向メッセージの送信に至る。モード間の遷移は、タイムアウト間隔における応答メッセージの受信に基づいて生じる。
【００２７】
図６は、制御デバイス１０の代替実施例の状態チャートである。リセット（例えばバッテリ挿入）により、制御デバイス１０は、１方向通信モードにおいてアイドル状態６０２に入る。そして、キーの押圧で、制御デバイス１０は、１方向通信モードにおける送信状態６０４に入る。状態６０４において、押されたキーに対応する制御メッセージは、恐らくは独自の１方向プロトコルを用いて装置１２に送信される。キーの開放により、装置１２が２方向通信が可能かどうかを調べる調査メッセージが送信される。制御デバイス１０は、装置１２からの応答を待つ２方向通信モードの検出状態６０６に入る。装置１２が、例えば古い（従来の）装置であるために２方向通信ができない場合、装置２は、当該調査メッセージに応答することができない。第１のタイムアウト間隔の経過により、制御デバイス１０は、とりあえず、当該（古い）１方向通信だけを用いるために１方向通信モードのアイドル状態６０２に戻る。但し、装置１２が２方向通信可能なものであると、第１のタイムアウト間隔内で当該調査メッセージに応答を返す。制御デバイス１０が第１のタイムアウト間隔内で当該返答を検出したときは、デバイス１０は、自らを、当該調査メッセージに応答して装置１２から受信した情報に基づいて２方向通信をなすように構成する。例えば、制御デバイス１０は、表示モニタ（例えばタッチスクリーン）を有し、装置１２の制御のための適切なグラフィカルユーザインターフェース（ＧＵＩ）をセットアップする。このセットアップ段階の後、デバイス１０は、２方向通信モードのアイドル状態６０８に入る。そして、次のキーの押圧において、制御デバイス１０は、２方向モードの通信状態６１０に入り、とりあえず２方向通信プロトコルを用いる。キーが押圧されないで第２のタイムアウト間隔が経過した場合、デバイス１０は、上述した１方向モードのアイドル状態６０２に戻る。上に参照した調査メッセージは、制御セッションを始動するときに１度だけ送られるようにしてもよい。このセッションが終了し新しいセッションが開始するとき、調査メッセージが再度送られるようにしてもよい。異なる制御セッションを区別するため、所定時間期間内でキーが押されたかどうかを判定するのにタイマを用いることができる。押されると、現在のセッションは終了しない。なお、図５において、調査メッセージを、準拠装置により受信された場合に応答を起動する２方向通信プロトコルの制御コマンドとしてもよい。
【００２８】
本発明を特定の実施例について説明してきたが、本発明は、この実施例に限定されるものではないことが分かる。例えば、本発明から外れることなく、２方向プロトコルによる複数の繰り返される制御メッセージ５２が送信されるとともに、応答メッセージが装置１２から（例えば当該タイムアウト間隔５８内で）受信されるまで、又はボタン１００が開放されるまで、ボタン１００が第２の状態で押されたままであるようにすることもできる。この実施例では、制御回路は、当該繰り返されるメッセージの後の所定のタイムアウト間隔内で受信される応答メッセージがない場合にボタン１００が開放されたとき、状態３３に遷移する。これにより、偶発的に誤って受信されたメッセージによる状態切り換えの可能性が減る。同様に、ボタンの開放の待機に代えて、所定の数の繰り返される制御メッセージが状態３３への遷移の前に送られるようにしてもよい。同様に、複数の２方向付加的メッセージ４４を状態３５において送るようにしてもよく、また、状態３１への遷移を、これらメッセージのいずれかの後のタイムアウト間隔において応答メッセージが受信された場合に行うようにしてもよい。
【００２９】
他の代替例として、異なる複数の２方向プロトコルに準じた付加的メッセージを状態３５において送るようにし、制御回路１０６が、付加的メッセージに対して応答が受信された２方向プロトコルに基づいて、状態３１において用いられるためのこれら２方向プロトコルのうちの１つを選択するようにしてもよい。
【００３０】
さらに、本発明から外れることなく、制御回路１０６は、状態３１への遷移のときに、押圧されたボタンに応じて選択された１方向プロトコルに準じたコマンドメッセージの送信をなすように構成されるようにしてもよい。これにより、再びボタンを押す必要性を伴うことなくコマンドが実行されることになる可能性が高くなる。好ましくはこの１方向制御メッセージの送信は、ボタン１００が開放されるまで繰り返される。
【００３１】
好ましくは、制御回路１０６は、機能的な押圧されたボタンに応じた２方向制御メッセージが状態３５において付加的メッセージとして送られるようにするのがよい。オプションとして、２方向プロトコルの幾つかの制御メッセージが応答メッセージにならない場合、応答信号を導き出す調査信号がこの場合付加的なメッセージとして代用される。代わりの実施例において、当該付加的メッセージは、常に、押されたボタンとは無関係の同じタイプの調査メッセージとされる。これによりオーバヘッドが減る。
【００３２】
原則的に、制御回路１０６は、例えば回路１０６のメモリ（図示せず）における状態情報により漠然と表されるその状態を保持するように構成されるようにしてもよい。但し、ある実施例では、当該状態は、例えば、例えば１時間又は数時間の所定時間間隔の間ボタン１００の作動がない場合、或いはデバイス１０のバッテリ（図示せず）が取り替えられたとき、或いはデバイス１０のリセットボタンが作動されたときに、所定の条件の下でリセットされるようにしてもよい。好ましくは、当該状態は、状態３１にリセットされるのがよいが、代替例として当該状態が状態３３にリセットされ回路１０６が第２のモードで動作し始めるようにすることもできる。
【００３３】
本発明を、押圧され開放される「ボタン」を用いて説明してきたが、遠隔制御デバイスの制御ボタンが例えばタッチ感応性表面として又はタッチスクリーンとして実現されるようにしてもよいことが分かる。制御回路１０６は、適切にプログラムされたプログラマブルプロセッサ又は専用のハードウェア回路として実現可能である。メッセージの発生は、アルゴリズム的発生又は所定メッセージのテーブルらの簡単な読み出しを含んでもよい。所定の第１及び第２のプロトコルが用いられているが、本発明から外れることなく、遠隔制御デバイス１０を、異なる状態において用いられることになるプロトコル及び／又はデバイス１０がリセットすることになるプロトコルをプログラムするように構成してもよい。
【図面の簡単な説明】
【００３４】
【図１】装置及び遠隔制御デバイスを含むシステムの図。
【図２】遠隔制御デバイスのブロック図。
【図３】遠隔制御デバイスの動作の状態チャート。
【図４】遠隔制御デバイスの動作に用いられる信号の一形態の図。
【図５】遠隔制御デバイスの動作に用いられる信号の他の形態の図。
【図６】もう１つの状態チャート。
【図１】
2008501280.tif 000003
【図２】
2008501280.tif 000004
【図３】
2008501280.tif 000005
【図４】
2008501280.tif 000006
【図５】
2008501280.tif 000007
【図６】
2008501280.tif 000008
【国際調査報告】
2008501280.tif 000009
2008501280.tif 000010